(57)【特許請求の範囲】
【請求項１】
天井面と底面と４つの側面を有し、前記いずれかの面に開閉自在な蓋材が設けられている箱体と、前記箱体内に収納されて被梱包物を支える内装体と、を有する梱包体において、
前記内装体は、紙材料によって、支持部と、この支持部の両側で折り曲げられて前記支持部を前記箱体の底面上で支える複数の脚部と、前記脚部の下端が内側で折り返されて前記脚部とほぼ平行となる内側脚部とが、一体に形成されて、
前記内側脚部の端部が前記支持部に掛止されて、前記脚部と前記内側脚部との間に空隙が形成されており、
被梱包物が前記複数の脚部の間で且つ前記支持部の下に設置され、前記被梱包物が前記支持部から延びるシート状またはベルト状の支持帯により吊り下げ支持されていることを特徴とする梱包体。
【請求項２】
前記脚部は互いに対向して一対設けられ、前記脚部が形成されている側と直交する側において、前記支持部の縁部が上方に折り曲げられて、前記箱体の天井面と前記支持部との間隔を保つための一対の突出部が一体に形成されている請求項１記載の梱包体。
【請求項３】
前記突出部を形成する折曲部の先端部分が、前記支持部に形成されたスリット内を通過して前記支持部の下面に延びて対を成す対向壁を形成しており、この対向壁が被梱包物の側面に対向している請求項２記載の梱包体。
【請求項４】
前記支持帯は弾性伸縮性を有し且つループ状であり、前記支持帯が前記支持部の上面から前記被梱包物の下面にかけて装着され、前記支持帯の弾性伸縮力により、前記被梱包物が前記支持部の下面に密着させられている請求項１ないし３のいずれかに記載の梱包体。
【請求項５】
前記支持帯は、プラスチックフィルムまたはゴムシートである請求項１ないし４のいずれかに記載の梱包体。
【請求項６】
前記支持帯は、帯電防止機能を有するものである請求項１ないし５のいずれかに記載の梱包体。
【発明の詳細な説明】
【０００１】
【発明の属する技術分野】
本発明は、電子機器例えば車載用電子機器、ガラス製品例えば医療用ガラス器具、精密機械製品などのような外部衝撃を嫌う被梱包物を梱包するのに適した梱包体に関する。
【０００２】
【従来の技術】
電子機器例えば車載用電子機器、ガラス製品例えば医療用ガラス器具、精密機械製品などのような外部衝撃を嫌う被梱包物を梱包する梱包体は、従来これら被梱包物が発泡ポリスチロールなどから形成された内装体に収納された状態、または内装体に挟まれた状態で箱体内に収納されているのが一般的である。
【０００３】
しかし、前記発泡ポリスチロールを用いた梱包体では、開梱後に前記発泡ポリスチロールの廃棄処理に環境上の問題を生じる。また発泡ポリスチロールで内装体を形成する際には金型を用いた射出成形を行うことが必要になり、製造原価が非常に高くなる。そこで、発泡ポリスチロールなどのプラスチック材料を用いない内装体として、ダンボール紙と樹脂フィルムを組み合わせたものがある。これは例えば特開平１０−２９６２５号公報などに開示されている。図４は前記従来のダンボール紙と樹脂フィルムを組み合わせた内装体を用いた梱包体を示す断面図である。
【０００４】
図４に示す梱包体では、外装体となる箱体１の内部に２個のダンボール紙製の内装体２，２が収納されている。２個の内装体２，２は互いに同じ形状であり、外周を折り曲げた支持片２ａ，２ａを有し、中央部分には矩形状の穴２ｂ，２ｂが形成されている。そしてそれぞれの内装体２，２では、前記穴２ｂ，２ｂの部分にポリウレタン系などの弾性伸縮性に富む樹脂フィルム３，３が張られている。
【０００５】
前記内装体２，２は支持片２ａ，２ａを互いに逆に向けた状態で、電子機器などの被梱包物４を上下から挟むように使用される。これにより被梱包物４は、上下から前記樹脂フィルム３，３で保持される。被梱包物４が内装体２，２で挟まれた状態で、箱体１内に収納される。
【０００６】
この梱包体では、被梱包物４が樹脂フィルム３，３で保持された状態で、箱体１内に収納されるため、樹脂フィルム３，３が外部衝撃を吸収・緩和できる。
【０００７】
【発明が解決しようとする課題】
しかし、図４に示す梱包体では、以下に示す問題点がある。
（１）被梱包物４は樹脂フィルム３の張力により保持される構造であるため、被梱包物４を保持する領域は内装体２の中央部に形成された穴２ｂの範囲内に限られる。しかも、内装体２はそれ自体である程度の剛性が必要であるため、内装体２，２は穴２ｂ，２ｂ以外の枠部分の面積をある程度大きくしなくてはならない。したがって、被梱包物４の大きさに対して内装体２，２をある程度大きなものにしなくてはならず、これに応じて箱体１も大きくなる。よって被梱包物４に比べて梱包体全体が大きくなってしまう。
（２）また、被梱包物４に対して緩衝作用を生じるのは、主に穴２ｂの内縁と被梱包物４の縁部との間に張られているきわめて細い領域（ｉ）の樹脂フィルム３であるため、緩衝作用が必ずしも十分ではない。また細い領域（ｉ）で緩衝作用を発揮させるためには、樹脂フィルム３として使用できるのが弾性伸縮性にきわめて富む例えばポリウレタン系エラストマーなどに限られ、材料の選択性に制限がある。
（３）内装体２，２を製造する際には、２個の内装体２，２のそれぞれにおいて、穴２ｂの周囲全長にわたって樹脂フィルム３を強固に接着しなくてはならない。そのため、樹脂フィルム３の接着工程に時間がかかる。また樹脂フィルム３を内装体２に貼るための接着強度を高くするために接着剤を選択しなくてはならず、この点においても製造コストが高くなる。
【０００８】
本発明は、上記従来の課題を解決するものであり、簡単な構造で被梱包物を保持することができ、且つ十分な緩衝作用を発揮できる梱包体を提供することを目的としている。
【０００９】
また本発明は、製造工程が簡単で安価で製造できる内装体を備えた梱包体を提供することを目的としている。
【００１０】
【課題を解決するための手段】
本発明は、天井面と底面と４つの側面を有し、前記いずれかの面に開閉自在な蓋材が設けられている箱体と、前記箱体内に収納されて被梱包物を支える内装体と、を有する梱包体において、
前記内装体は、紙材料によって、支持部と、この支持部の両側で折り曲げられて前記支持部を前記箱体の底面上で支える複数の脚部と、前記脚部の下端が内側で折り返されて前記脚部とほぼ平行となる内側脚部とが、一体に形成されて、
前記内側脚部の端部が前記支持部に掛止されて、前記脚部と前記内側脚部との間に空隙が形成されており、
被梱包物が前記複数の脚部の間で且つ前記支持部の下に設置され、前記被梱包物が前記支持部から延びるシート状またはベルト状の支持帯により吊り下げ支持されていることを特徴とするものである。
【００１１】
本発明では、箱体内において、内装体の支持部の下面で被梱包物が吊り下げ支持されるため、被梱包物の大きさに対して内装体を極端に大きくする必要がない。よって梱包体の全体の寸法を被梱包物の大きさに近いものにできる。
【００１２】
また、被梱包物は、その下面から側面に掛けて前記支持帯により吊り下げ支持されるため、十分な緩衝機能を発揮でき、外部衝撃などから電子機器例えば車載用電子機器、ガラス製品例えば医療用ガラス器具、精密機械製品などの被梱包物を守ることができる。
【００１９】
このように構成すると、前記内側脚部が前記被梱包物に対向して被梱包物の位置ずれを防止でき、また脚部と内側脚部との間の空隙が緩衝機能を発揮できるようになる。また、内装体を前記紙材料で一体に折り曲げ形成することにより、内装体を安価で且つ簡単に製造できる。
【００２０】
さらに、前記脚部が形成されている側と直交する側において、前記支持部の縁部が上方に折り曲げられて、前記箱体の天井面と前記支持部との間隔を保つための一対の突出部が一体に形成されているものにでき、
さらに、前記突出部を形成する折曲部の先端部分が、前記支持部に形成されたスリット内を通過して前記支持部の下面に延びて対を成す対向壁を形成しており、この対向壁が被梱包物の側面に対向しているものとすることができる。
【００２１】
また、前記突出部を設けると、箱体の天井面と内装体の支持部との間に空隙を形成でき、例えば箱体に対して上方から衝撃力が与えられた場合に、被梱包物の保護機能を十分に発揮できるようになる。そして、本発明では、被梱包物は、前記脚部および対向壁の間で支持されることになり、内装体内で被梱包物が大きく位置ずれするのを防止できる。
【００２２】
また、前記突出部や対向壁を、紙材料製などの内装体と別体に製造し、突出部や対向壁を前記内装体に接着などの手段で固定してもよい。
【００２３】
また、前記支持帯は、弾性伸縮性を有し且つループ状であり、前記支持帯が前記支持部の上面から前記被梱包物の下面にかけて装着され、前記支持帯の弾性伸縮力により、前記被梱包物が前記支持部の下面に密着させられているものであることが好ましい。
【００２４】
ループ状の支持帯を使用すると、これを支持部と被梱包物とに掛け回すだけでよいため、支持帯を内装体に接着する必要がなくなり、製造工程を簡単にできる。ただし、被梱包物を下面側から支える前記支持帯の両端部を前記内装体に接着などの手段で固定してもよい。
【００２５】
例えば、前記支持帯は、プラスチックフィルムまたはゴムシートである。また、支持帯は、無端のループ状のゴムベルトなどであって、これを複数用いて被梱包物を支持部に支持させてもよい。
【００２６】
さらに、前記支持帯は、帯電防止機能を有するものであることが好ましい。被梱包物が電子機器である場合に、支持帯に帯電防止機能を持たせることにより、電子回路の静電破壊などを防止できるようになる。
【００２７】
【発明の実施の形態】
図１は本発明の梱包体の一実施の形態を示す分解斜視図、図２は内装体の展開図、図３は図１のＩＩＩ−ＩＩＩ線の断面図である。
【００２８】
図１に示すように、この梱包体は、外装体となる箱体１０と、この箱体１０の内部に収納される内装体２０と、この内装体２０内で被梱包物４０を吊り下げ支持する支持帯３０とから構成されている。
【００２９】
前記箱体１０は、ダンボール紙や厚紙などの紙材で形成されている。箱体１０は天井面１１、底面１２、左右両側面１３，１４、および前後両側面１５，１６を有する６面体である。図１に示す箱体１０は、前後両側面１５，１６の部分が開放口となっており、前記前後両側面１５，１６に蓋材１５ａ，１６ａが一体に設けられている。前記蓋材１５ａ，１６ａを閉じまたは開放することで、開放口が開閉自在である。ただし、箱体１０は、左右両側面１３，１４に蓋材が設けられてこの部分に開放口が形成されていてもよく、または前記天井面１１に蓋材が設けられて、上面に開放口が形成されているものであってもよい。
【００３０】
前記内装体２０は、ダンボール紙や厚紙などの紙材、またはこれら紙材と樹脂フィルムなどとのラミネート材などで形成されている。図２は内装体２０の展開図である。前記紙材などから図２に示す展開形状のものを切り出し、これを曲げることにより前記内装体２０が形成されている。図２では、内装体２０を組み立てる際に折り線となる部分を破線で示している。
【００３１】
前記内装体２０は、被梱包物４０を吊り下げ支持する支持部（支持面）２１の長手側の両側部から折り線Ｌ１，Ｌ１で直角に折り曲げられて、対を成す脚部（脚面）２２，２２が形成されている。各脚部２２，２２の端部は、折り線Ｌ２ａ，Ｌ２ａで直角に内側へ折り曲げられて、脚支持部（脚支持面）２３，２３が形成されている。
【００３２】
さらに脚支持部２３，２３から折り線Ｌ２ｂ，Ｌ２ｂで内側へ直角に折られて内側脚部２３ａ，２３ａが形成されている。この内側脚部２３ａ，２３ａは、前記脚部２２，２２の内側で前記脚部２２，２２とほぼ平行に延びている。そして前記内側脚部２３ａ，２３ａの先端には掛止片２３ｂ，２３ｂが突出形成されている。前記支持部２１には一対のスリット２６ａ，２６ａが形成されており、前記掛止片２３ｂ，２３ｂは前記スリット２６ａ，２６ａ内に挿入されて、前記内側脚部２３ａ，２３ａの先端部と前記支持部２１とが互いに掛止されている。
【００３３】
前記支持部２１の短手側の両側部は、折り線Ｌ３，Ｌ３で上方へ直角に折り曲げられ、さらに折り線Ｌ４，Ｌ４で直角に折り曲げられて、支持部２１の上部にＬ字断面形状に延びる突出部（間隔保持部）２４，２４が形成されている。突出部２４，２４の先部には折り線Ｌ５，Ｌ５により直角に折り曲げられた先端片２５，２５が設けられている。この先端片２５，２５は、支持部２１に形成されたスリット２６ｂ，２６ｂに差し込まれて、支持部２１の下面側に延びている。支持部２１の下面では前記スリット２６ｂ，２６ｂを通過した対を成す前記先端片２５，２５が、脚部２２，２２どうしおよび内側脚部２３ａ，２３ａどうしが対向する方向と逆方向に対向する対向壁２５ａ，２５ａ（図３参照）となっている。
【００３４】
図１に示すように、折り曲げ形成された前記内装体２０の前記支持部２１の下側に被梱包物４０が設置され、この状態で内装体２０の支持部２１と被梱包物４０との外周に前記支持帯３０が装着される。支持帯３０は、弾性収縮性を有する樹脂フィルム、樹脂シート、ゴムシートなどであり、端部どうしはシール線３１により接合されてループ状（リング状）に形成されている。
【００３５】
前記支持帯３０は、やや伸ばされた状態で、支持部２１と被梱包物４０の周囲に装着される。すなわち図３に示すように、支持帯３０は、被梱包物４０の下面を支え、被梱包物４０の下面から内装体２０の支持部２１の縁部に延び、前記突出部２４，２４の上面を経て、支持部２１の上方に間隔を開けて張られた状態になる。よって、支持帯３０の弾性伸縮力により、被梱包物４０は前記支持部２１の下面に密着するように弾性的に押し付けられた状態で前記支持部２１から吊り下げ支持される。
【００３６】
図１に示すように、前記被梱包物４０は、内装体２０の内側脚部２３ａと内側脚部２３ａとの間で、前記内側脚部２３ａ，２３ａに接触してまたは少し間隔を開けて位置する。また図３に示すように、支持部２１から下方へ突出する対を成す対向壁２５ａ，２５ａは被梱包物４０の側面に対面し、且つ好ましくは密着している。したがって、内装体２０に支持されている被梱包物４０は、内側脚部２３ａ，２３ａと対向壁２５ａ，２５ａとで位置ずれが規制されることになり、支持部２１の下面で大きく動くことなく支持されている。
【００３７】
支持帯３０によって被梱包物４０が吊り下げ支持された前記内装体２０は、前記箱体１０内に収納される。内装体２０の高さ寸法Ｈ１および幅寸法Ｗ１は、共に箱体１０の内高寸法Ｈ０および内幅寸法Ｗ０とほぼ同じに形成されており、内装体２０が箱体１０に挿入された状態では、前記脚部２２，２２が箱体１０の左右両側面１３，１４の内面にほぼ接し、脚支持部２３，２３が箱体１０の底面１２上に接する。よって箱体１０内において、支持部２１は、脚部２２，２２によって底面１２から上方に離れた位置で支えられる。
【００３８】
よって、被梱包物４０は、箱体１０内において底面１２から離れた位置にて前記支持帯３０により吊り下げ支持された状態となる。
【００３９】
また、図３に示すように、支持部２１の上面に突出している突出部２４，２４は内部に空隙（ｉｉ）を有しており、また突出部２４と突出部２４との間にも空間（ｉｉｉ）が形成されている。
【００４０】
内装体２０が箱体１０に収納されると、突出部２４，２４の上面が、箱体１０の天井面１１の内面にほぼ接触し、支持部２１と前記天井面１１との間には、前記空隙（ｉｉ）と空間（ｉｉｉ）の部分で隙間が形成される。よって、箱体１０の天井面１１に衝撃が与えられたときに、前記隙間が緩衝層として機能し、また突出部２４，２４そのものが弾性吸収力を発揮するクッション部として機能するため、前記衝撃を緩和できる。
【００４１】
なお、前記突出部２４，２４は、支持部２１の上面に発泡ポリスチロールなどの緩衝材を貼り付けることにより形成してもよい。
【００４２】
さらに図１に示すように前記脚部２２，２２と内側脚部２３ａ，２３ａとの間にも空隙（ｉｖ）が形成されるため、この空隙がクッション機能を発揮して、側方からの衝撃に対して被梱包物４０を保護することができる。
【００４３】
また、前記空隙（ｉｉ）、空間（ｉｉｉ）、または空隙（ｉｖ）に、接続ケーブルやコネクタなどのような多少の衝撃に耐えうる付属品を収納することも可能である。
【００４４】
上記支持帯３０は、どのようなプラスチックフィルムあるいはシートで形成されてもよいが、ある程度の弾性伸縮力を有するものが好ましい。例えば、ポリオレフィン系樹脂フィルムで例えば低密度ポリエチレンフィルム、ポリウレタン系エラストマーフィルム、エチレン−酢酸ビニル共重合体（ＥＶＯＨ）フィルムなどが使用可能である。またその他のエラストマー、天然ゴムも使用可能である。
【００４５】
被梱包物４０は、これらの素材で形成される支持帯３０により支持部２１から吊り下げ支持されるものであるため、支持帯３０の大きな面積で被梱包物４０が支えられることになる。よって、外部衝撃を支持帯３０が緩和し、被梱包物４０に対する保護機能が高くなる。
【００４６】
また、被梱包物４０が電子機器である場合、前記支持帯３０は帯電防止機能を有していることが好ましく、帯電防止機能を有することで、被梱包物４０である電子機器に設けられた電子部品への静電気による影響を防止できる。帯電防止機能を発揮するものとしては、前記支持帯３０を構成する樹脂材料やゴムにカーボンなどの導電性フィラーが混入されたもの、前記樹脂材料やゴムにポリエーテル系、４級アンモニウム塩系、ポリエチレンスルフォン酸ソーダ系などの高分子帯電防止剤などの高分子帯電防止剤が混入されたもの、あるいは前記支持帯３０の表面に前記高分子帯電防止剤がコーティングされたものなどである。
【００４７】
また、前記内装体２０が、紙材と樹脂層とのラミネート材で形成される場合に、前記樹脂層が前記高分子帯電防止剤で形成され、または高分子帯電防止剤を混入したもので形成することが好ましい。
【００４８】
【発明の効果】
以上のように本発明では、箱体内で底面から離れた位置に設置される支持部に、被梱包物が支持帯により吊り下げ支持されているため、箱体内の被梱包物を外部衝撃から保護できる。また内装体に被梱包物が吊り下げられた構造であるため、被梱包物に対して内装体および箱体を小さくできる。また内装体の構造が簡単であり、製造が容易である。
【図面の簡単な説明】
【図１】本発明の梱包体を示す分解斜視図、
【図２】内装体の展開平面図、
【図３】図１のＩＩＩ−ＩＩＩ線の断面図、
【図４】従来の梱包体の断面図、
【符号の説明】
１０  箱体
１１  天井面
１２  底面
１３，１４  左右側面
１５，１６  前後側面
１５ａ，１６ａ  蓋材
２０  内装体
２１  支持部
２２  脚部
２３  脚支持部
２３ａ  内側脚部
２４  突出部
２５  先端片
２５ａ  対向壁
３０  支持帯
４０  被梱包物
【図１】
0003963630.tif 000002
【図２】
0003963630.tif 000003
【図３】
0003963630.tif 000004
【図４】
0003963630.tif 000005